(57)【要約】【課題】作業者に負担をかけないで取付部材を所定の位置に簡単にセットすることができるインストルメントパネル取付部材の振動溶着構造を提供する。【解決手段】インストルメントパネル取付部材の振動溶着構造１０は、インパネ１２からＡ／Ｃダクト１５に向けて振動方向に弾性変形可能な第１突片７０を突出させ、この第１突片７０の先端７０ａに嵌合する第１嵌合溝７２をＡ／Ｃダクト１５に形成し、インパネ１２及びＡ／Ｃダクト１５間に、振動方向に直交する方向に位置決めする第１位置決め手段７４を介在させたものである。【選択図】　　　　図４
2004090697.tif 000002
【特許請求の範囲】
【請求項１】
インストルメントパネルに取付部材を沿わせ、次にインストルメントパネルと取付部材とのいずれか一方を振動することにより、インストルメントパネルに取付部材を振動溶着するインストルメントパネル取付部材の振動溶着構造において、
前記インストルメントパネル及び取付部材の一方から他方に向けて前記振動方向に弾性変形可能な突片を突出させ、
この突片の先端に嵌合する嵌合部を前記他方に形成したことを特徴とするインストルメントパネル取付部材の振動溶着構造。
【請求項２】
前記インストルメントパネル及び取付部材間に、前記振動方向に直交する方向に位置決めする位置決め手段を介在させたことを特徴とする請求項１記載のインストルメントパネル取付部材の振動溶着構造。
【発明の詳細な説明】
【０００１】
【発明の属する技術分野】
本発明は、インストルメントパネルに取付部材を振動溶着するインストルメントパネル取付部材の振動溶着構造に関する。
【０００２】
【従来の技術】
車両の車室前側に備えたインストルメントパネル（以下、「インパネ」と略記する）の裏面に空調用ダクトを取り付け、この空調用ダクトから冷風や温風を吹き出し、吹き出した冷風や温風をインパネの吹出口を通して車室内に吹き出す。このインパネに空調用ダクトを取り付ける方法として、特開平１１−３２１２８７号公報「空調用ダクト及び空調用ダクトの製造・取付方法」に振動溶着が開示されている。この振動溶着の一例を次図で説明する。
【０００３】
図１６（ａ）〜（ｃ）は従来のインストルメントパネル取付部材の振動溶着構造を説明する図であり、インパネを基材、空調用ダクトを取付部材に置き換えて説明する。
（ａ）において、基材１５０の両端１５１，１５２にそれぞれリブ１５３・・・を形成し、リブ１５３・・・を上向きにした状態で基材１５０をセットする。
次に、基材１５０の上方に取付部材１５５を配置し、取付部材１５５を矢印の如く下降させることで、取付部材１５５の両端１５６，１５７を基材１０５のリブ１５３・・・に載せる。
【０００４】
（ｂ）において、取付部材１５５の両端１５６，１５７に所定の押圧力Ｆをかけながら取付部材１５５を矢印の方向に振動させる。
基材１５０のリブ１５３・・・と取付部材１５５の両端１５６，１５７との接触部１５８・・・に振動により摩擦熱が発生する。
（ｃ）において、基材１５０のリブ１５５・・・と取付部材１５５の両端１５６，１５７とを振動溶着することにより、基材１５０に取付部材１５５を取り付けることができる。
【０００５】
【発明が解決しようとする課題】
ここで、基材１５０に取付部材１５５を振動溶着するためには、図１５（ａ）に示すように取付部材１５５を矢印方向に自由に振動させる必要がある。このため、一般に使用されている位置決め部材を使用して取付部材１５５を基材１５０の所定位置にセットすると、位置決め部材で取付部材１５５を拘束してしまい取付部材１５５を矢印の方向に自由に振動させることはできない。
【０００６】
基材１５０に取付部材１５５を振動溶着する際には、一般に使用されている位置決め部材で取付部材１５５を位置決めすることはできないので、作業者が目視などで判断して取付部材１５５を適正位置にセットする必要がある。
よって、取付部材１５５を所定位置にセットする作業に手間がかかるとともに、作業者に大きな負担がかかり、生産性を上げる妨げになっていた。
【０００７】
そこで、本発明の目的は、作業者に負担をかけないで取付部材を所定の位置に簡単にセットすることができるインストルメントパネル取付部材の振動溶着構造を提供することにある。
【０００８】
【課題を解決するための手段】
上記目的を達成するために請求項１は、インストルメントパネルに取付部材を沿わせ、次にインストルメントパネルと取付部材とのいずれか一方を振動することにより、インストルメントパネルに取付部材を振動溶着するインストルメントパネル取付部材の振動溶着構造において、前記インストルメントパネル及び取付部材の一方から他方に向けて前記振動方向に弾性変形可能な突片を突出させ、
この突片の先端に嵌合する嵌合部を前記他方に形成したことを特徴とする。
【０００９】
インストルメントパネル及び取付部材の一方から他方に向けて突片を突出させ、この突片の先端に嵌合する嵌合部を他方に形成した。よって、インストルメントパネルに取付部材をセットする際に、突片の先端に嵌合部を嵌め込むことにより、取付部材をインストルメントパネルの所定の位置に位置決めすることができる。
一方、位置決め用の突片を弾性変形可能とすることで、取付部材又はインストルメントパネルを振動させることができるので、インストルメントパネルに取付部材を振動溶着することができる。
【００１０】
このように、位置決め用の突片を弾性変形可能とし、この突片の先端に嵌合部を嵌め込むことで、取付部材をインストルメントパネルの所定の位置に位置決めすることができ、かつインストルメントパネルに取付部材を振動用着することもできる。
【００１１】
請求項２は、インストルメントパネル及び取付部材間に、振動方向に直交する方向に位置決めする位置決め手段を介在させたことを特徴とする。
【００１２】
よって、インストルメントパネルに取付部材をセットする際に、取付部材を振動方向に対して位置決めするとともに、振動方向に直交する方向にも位置決めすることができる。
【００１３】
【発明の実施の形態】
本発明の実施の形態を添付図面に基づいて以下に説明する。ここで、「前」、「後」、「左」、「右」は運転者から見た方向に従う。なお、図面は符号の向きに見るものとする。
図１は本発明に係るインストルメントパネル取付部材の振動溶着構造を斜め前方から見た斜視図である。
インストルメントパネル取付部材の振動溶着構造１０は、車両（図示しない）の車室前側に備えるインパネ１２と、このインパネ１２の裏（エンジンルーム側面）に振動溶着で組付ける空調用ダクト（取付部材）１４とからなる。
空調用ダクト１４は、エアコンディショナダクト（以下、「Ａ／Ｃダクト」という）１５とデフロスタダクト１６とからなる。
【００１４】
インパネ１２及び空調用ダクト１４は、一例としてオレフィン系の熱可塑性樹脂で形成した部材である。インパネ１２及び空調用ダクト１４を熱可塑性樹脂で成形することでそれぞれを振動溶着で結合することが可能になる。
インパネ１２は、中央に中央開口１７を備え、左右端にそれぞれ左右の開口１８，１９を備え、上部前端にスリット状のデフロスタ開口２０を備える。
【００１５】
中央開口１７は、各種メータ類、各種警告灯を組付けるとともに、Ａ／Ｃダクト１５の中央吹出口２１，２１を臨ませるように、略逆台形状に形成した開口である。
左開口１８は、Ａ／Ｃダクト１５の左吹出口２３を下側に臨ませるとともに、デフロスタダクト１６の左吹出口２４を上側に臨ませるように、矩形状に形成した開口である。
【００１６】
右開口１９は、Ａ／Ｃダクト１５の右吹出口２６を下側に臨ませるとともに、デフロスタダクト１６の右吹出口２７を上側に臨ませるように、左開口１８と同様に矩形状に形成した開口である。
スリット状のデフロスタ開口２０は、デフロスタダクト１６の中央吹出口２９（図３に示す）を臨ませるための空間である。
【００１７】
図２は本発明に係るインストルメントパネル取付部材の振動溶着構造のインパネとＡ／Ｃダクトとの関係を示す斜め後方から見た分解斜視図、図３は本発明に係るインストルメントパネル取付部材の振動溶着構造のインパネとデフロスタダクトとの関係を示す斜め後方から見た分解斜視図である。
【００１８】
図２に示すように、Ａ／Ｃダクト１５には左端から右端に向けて第１〜第９のダクト溶着部３０〜３８を備え、インパネ１２には、第１〜第９のダクト溶着部３０〜３８に対応する部位に第１〜第９のインパネ溶着部４０〜４８を備える。第１〜第９のインパネ溶着部４０〜４８には、それぞれ溶着用のリブ４９・・・を備える。
【００１９】
図３に示すように、デフロスタダクト１６には左端から右端に向けて第１０〜第１６のダクト溶着部５０〜５６を備え、インパネ１２には、第１０〜第１６のダクト溶着部５０〜５６に対応する部位に第１０〜第１６のインパネ溶着部６０〜６６を備える。
第１０〜第１６のインパネ溶着部６０〜６６には、第１〜第９のインパネ溶着部４０〜４８と同様に溶着用のリブ４９・・・を備える。
【００２０】
図４は本発明に係るインストルメントパネル取付部材の振動溶着構造の要部を示す分解斜視図であり、図２の４（ａ）部、４（ｂ）部をそれぞれ拡大して示した図である。
インストルメントパネル取付部材の振動溶着構造１０は、インパネ１２からＡ／Ｃダクト１５に向けて振動方向（矢印方向）に弾性変形可能な第１突片（突片）７０を突出させ、この第１突片７０の先端７０ａに嵌合する第１嵌合溝（嵌合部）７２をＡ／Ｃダクト１５に形成し、インパネ１２及びＡ／Ｃダクト１５間に、振動方向に直交する方向に位置決めする第１位置決め手段７４を介在させたものである。
【００２１】
第１突片７０をインパネ１２の第５インパネ溶着部４４に備える。具体的には、第５インパネ溶着部４４に凹部７６を形成し、凹部７６の底面７６ａに振動方向（矢印で示す方向）に対して直交する方向に向けて第１突片７０を形成する。第１突片７０は基端７０ｂから先端７０ａに向けて幅が漸次小さくなるように略台形状に形成したものである。
【００２２】
第５インパネ溶着部４４に凹部７６を形成し、凹部７６の底面７６ａに第１突片７０を形成することで、第１突片７０の高さＨ１を大きく確保することができる。このように、第１突片７０の高さＨ１を大きく確保することで、第１突片７０の先端７０ａに振動方向の力がかかった際に、第１突片７０を振動方向に効率よく弾性変形させることができる。
なお、第５インパネ溶着部４４には、図２で説明したように振動溶着用のリブ４９・・・を備える。
【００２３】
第１嵌合溝７２をＡ／Ｃダクト１５の第５ダクト溶着部３４に備える。具体的には、第１嵌合溝７２を第１突片７０の先端７０ａに臨ませるように形成することで、第１嵌合溝７２を第１突片７０の先端７０ａに嵌め込むことができる。
第１嵌合溝７２は断面略逆Ｖ字形の溝で開口部７２ａの開口幅Ｗ１を第１突片７０の板厚Ｔ１より大きく形成した。よって、第１嵌合溝７２の開口部７２ａと第１突片７０との間の間隔を開けることができる。
これにより、第１突片７０の先端７０ａに振動方向の力がかかった際に、第１突片７０を振動方向に効率よく弾性変形させることができる。
【００２４】
第１位置決め手段７４は、インパネ１２の第５インパネ溶着部４４に、左右の係止ブロック８０，８１を所定間隔をおいて形成し、左右の係止ブロック８０，８１の間に係止爪８２を形成し、左右の係止ブロック８０，８１及び係止爪８２に嵌め込み可能な開口８３を第５ダクト溶着部３４に形成したものである。
【００２５】
左右の係止ブロック８０，８１のそれぞれの幅Ｗ２を、開口８３の幅Ｗ３より僅かに小さく形成し、左右の係止ブロック８０，８１のそれぞれの後面８０ａ，８１ａを係止爪８２の後面８２ａと面一、又は左右の係止ブロック８０，８１のそれぞれの後面８０ａ，８１ａを係止爪８２の後面８２ａから僅かに突出させるように形成した。
【００２６】
係止爪８２は、先端８２ｂを左右の係止ブロック８０，８１より高く形成するとともに、先端８２ｂから後方に突出した爪部８４を備え、爪部８４の上面８４ａをテーパ状に形成するとともに、爪部８４の底面８４ｂを第５インパネ溶着部４４に平行に形成したものである。
【００２７】
この位置決め手段７４によれば、左右の係止ブロック８０，８１及び係止爪８２に、第５ダクト溶着部３４の開口８３を嵌め込む際に、開口８３の周縁８３ａを爪部８４の上面８４ａに押し付けて、係止爪８２を弾性変形させることにより、開口８３の周縁８３ａが爪部８４を乗り越える。
開口８３の周縁８３ａが爪部８４を乗り越えた後、係止爪８２の弾性変形が解除され、爪部８４が開口８３の周辺８３ｂに係止する。同時に、左右の係止ブロック８０，８１が開口８３に入り込む。
【００２８】
なお、実施の形態では第１位置決め手段７４を備えた例について説明するが、第１位置決め手段７４を備えずに第１突片７０及び第１嵌合溝７２のみを使用しても十分に位置決めすることができる。
【００２９】
図５は本発明に係るインストルメントパネル取付部材の振動溶着構造の要部を示す分解斜視図であり、図３の５（ａ）部及び５（ｂ）部をそれぞれ拡大して示した図である。
インストルメントパネル取付部材の振動溶着構造１０は、インパネ１２からデフロスタダクト１６に向けて振動方向に弾性変形可能な第２突片（突片）９０を突出させ、この第２突片９０の先端９０ａに嵌合する第２嵌合溝（嵌合部）９２をデフロスタダクト１６に形成し、インパネ１２及びデフロスタダクト１６間に、振動方向に直交する方向に位置決めする第２位置決め手段９４を介在させたものである。
【００３０】
第２突片９０をインパネ１２の前端１３に備える。具体的には、インパネ１２の前端１３の補強リブ９６に切欠９７を形成し、切欠９７の底面９７ａに振動方向（矢印で示す方向）に対して直交する方向に向けて第２突片９０を形成する。この第２突片９０は基端９０ｂから先端９０ａに向けて幅が漸次小さくなるように形成したものである。
【００３１】
インパネ１２の前端１３の補強リブ９６に切欠９７を形成し、切欠９７の底面９７ａに第２突片９０を形成することで、第２突片９０の高さＨ２を大きく確保することができる。このように、第２突片９０の高さＨ２を大きく確保することで、第２突片９０に振動方向の力がかかった際に、第２突片９０を振動方向に効率よく弾性変形させることができる。
【００３２】
第２嵌合溝９２をデフロスタダクト１６の中央吹出口２９を構成する外周２９ａに備える。具体的には、第２嵌合溝９２を第２突片９０の先端９０ａに臨ませるように形成することで、第２嵌合溝９２を先端９０ａから第２突片９０に嵌め込むことができる。
この第２嵌合溝９２の幅Ｗ４を第２突片９０の板厚Ｔ２より僅かに大きく形成した。
【００３３】
第２位置決め手段９４は、第２突片９０の後縁９０ｃを第２嵌合溝９２の底面９２ａに当接することにより、インパネ１２に対してデフロスタダクト１６を振動方向に直交する方向に位置決めするものである。
なお、実施の形態では第２位置決め手段９４を備えた例について説明するが、第２位置決め手段９４を備えずに第２突片９０及び第２嵌合溝９２のみを使用しても十分に位置決めすることができる。
【００３４】
図６は本発明に係るインストルメントパネル取付部材の振動溶着構造を斜め後方から見た斜視図である。
インストルメントパネル取付部材の振動溶着構造１０は、インパネ１２に空調用ダクト１４、すなわち、Ａ／Ｃダクト１５及びデフロスタダクト１６を沿わせ、次にＡ／Ｃダクト１５及びデフロスタダクト１６を矢印の方向に振動することにより、インパネ１２にＡ／Ｃダクト１５及びデフロスタダクト１６を振動溶着したものである。
【００３５】
図７は図６の７−７線断面図である。
インパネ１２の第５インパネ溶着部４４に溶着用のリブ４９を備え、溶着用のリブ４９にＡ／Ｃダクト１５の第５ダクト溶着部３４を振動用着するとともに、インパネ１２の第１７インパネ溶着部６７に溶着用のリブ４９を備え、溶着用のリブ４９にＡ／Ｃダクト１５の第１７ダクト溶着部５７を振動溶着することにより、インパネ１２にＡ／Ｃダクト１５を取り付ける。
この際、インパネ１２の中央開口１７にＡ／Ｃダクト１５の中央吹出口２１を臨ませることができる。
【００３６】
一方、インパネ１２の第１３インパネ溶着部６３に溶着用のリブ４９を備え、溶着用のリブ４９にデフロスタダクト１６の第１３ダクト溶着部５３を振動用着するとともに、インパネ１２の第１４インパネ溶着部６４に溶着用のリブ４９を備え、溶着用のリブ４９にデフロスタダクト１６の第１４ダクト溶着部５４を振動用着することにより、インパネ１２にデフロスタダクト１６を取り付ける。
この際、インパネ１２のデフロスタ開口２０にデフロスタダクト１６の中央吹出口２９を臨ませることができる。
【００３７】
なお、インパネ１２の表面（車室側面）には、セーフティパッド１００（想像線で示す）を備える。このセーフティパッド１００は、裏面に溶着用のリブ１０１・・・を備え、溶着用のリブ１０１・・・をインパネ１２の上下の貫通孔１０２ａ，１０２ｂに貫通させることにより、溶着用のリブ１０１・・・の先端をＡ／Ｃダクト１５及びデフロスタダクト１６に振動溶着することができる。
【００３８】
この際、セーフティパッド１００の中央開口１０３をインパネ１２の中央開口１７に臨ませることができる。
これにより、エアコンディショナ９８からＡ／Ｃダクト１５に流入したエアを、インパネ１２の中央開口１７及びセーフティパッド１００の中央開口１０３を通して、車室内に吹き出すことができる。
また、エアコンディショナ９８からデフロスタダクト１６に流入したエアを、インパネ１２のデフロスタ開口２０を通して、車室内に吹き出すことができる。
【００３９】
図８は図６の８部拡大図である。
インパネ１２の第５インパネ溶着部４４に第１突片７０を備えるとともに、Ａ／Ｃダクト１５の第５ダクト溶着部３４に第１嵌合溝７２を備え、第１突片７０に第１嵌合溝７２を嵌合させた状態を示す。
【００４０】
また、インパネ１２の第５インパネ溶着部４４に左右の係止ブロック８０，８１及び係止爪８２を備えるとともに、Ａ／Ｃダクト１５の第５ダクト溶着部３４に開口８３を備え、左右の係止ブロック８０，８１及び係止爪８２に開口８３を嵌合させた状態を示す。
これにより、係止爪８２の爪部８４で開口８３の周辺８３ｂを押さえることができる。
【００４１】
図９は図８の９部拡大図である。
第１突片７０の先端７０ａに第１嵌合溝７２を嵌め込むことにより、第１突片７０の先端７０ａの近傍に第１嵌合溝７２の底面７２ｂを配置し、又は第１突片７０の先端７０ａに第１嵌合溝７２の底面７２ｂを当接する。
同時に、左右の係止ブロック８０，８１及び係止爪８２を開口８３に嵌合させる。
【００４２】
溶着用のリブ４９・・・の頂部４９ａ・・・に第５ダクト溶着部３４を振動溶着することで、インパネ１２の第５インパネ溶着部４４にＡ／Ｃダクト１５の第５ダクト溶着部３４を接合して、インパネ１２にＡ／Ｃ用ダクト１５を取り付けた状態を示す。
【００４３】
ここで、第５インパネ溶着部４４に凹部７６を形成し、この凹部７６の底面７６ａに第１突片７０を形成することで、第１突片７０の高さＨ１を大きく確保することができる。
これにより、第１突片７０の先端７０ａに振動方向の力がかかった際に、第１突片７０を振動方向に効率よく弾性変形させることができる。
【００４４】
また、左係止ブロック８０から開口８３の左端８５までの距離Ｌ、及び右係止ブロック８１から開口８３の右端８６までの距離Ｌを比較的大きく確保した。よって、左係止ブロック８０を左端８５に干渉させないように、かつ右係止ブロック８１を右端８６に干渉させないように、Ａ／Ｃダクト１５を矢印の方向に振動させることができる。
【００４５】
図１０は図８の１０部拡大図である。
左右の係止ブロック８０，８１の幅Ｗ２を開口８３の幅Ｗ３より僅かに小さく形成したので、左右の係止ブロック８０，８１を開口８３に嵌合させた際に、左右の係止ブロック８０，８１と開口８３との間の隙間を小さくできる。
よって、左右の係止ブロック８０，８１により開口８３が、振動方向（矢印方向）に対して直交する方向に移動しないように拘束することができる。
【００４６】
図１１は図６の１１部拡大図である。
インパネ１２の前端１３に第２突片９０を備えるとともに、デフロスタダクト１６の中央吹出口２９の外周２９ａに第２嵌合溝９２を備え、第２突片９０に第２嵌合溝９２を嵌合させる。
また、第２突片９０の後縁９０ｃに第２嵌合溝９２の底面９２ａを当接することにより、インパネ１２に対してデフロスタダクト１６を振動方向（矢印の方向）に直交する方向に位置決めする。
【００４７】
図１２は図１１の１２−１２線断面図である。
インパネ１２の前端１３の補強リブ９６の上辺９６ａにデフロスタダクト１６の中央吹出口２９の外周２９ａを載せた状態で、第２突片９０に第２嵌合溝９２を嵌め込む。
補強リブ９６をインパネ１２の前端１３（図５に示す）から突出させ、補強リブ９６の上辺９６ａにデフロスタダクト１６の中央吹出口２９の外周２９ａを載せることにより、外周２９ａを第２突片９０の基端９０ｂから所定高さＨ３をおいて配置することができる。
【００４８】
このように、第２突片９０の基端９０ｂから所定高さＨ３の位置に外周２９ａを配置することで、外周２９ａから第２突片９０に振動方向（矢印の方向）の力がかかった際に、第２突片９０を振動方向に効率よく弾性変形させることができる。
【００４９】
次に、インストルメントパネル取付部材の振動溶着構造の作用を図８〜図１１及び図１３〜図１５に基づいて説明する。
図１３は本発明に係るインストルメントパネル取付部材の振動溶着構造の振動溶着工程を示す第１工程図である。
Ａ／Ｃダクト１５を矢印ａの如く移動することにより、Ａ／Ｃダクト１５の第１〜第９のダクト溶着部３０〜３８を、インパネ１２の第１〜第９のインパネ溶着部４０〜４８（第６、７、９のインパネ溶着部４５，４６，４８は図２に示す）に載せる。
【００５０】
また、デフロスタダクト１６を矢印ｂの如く移動することにより、デフロスタダクト１６の第１０〜第１６のダクト溶着部５０〜５６を、インパネ１２の第１０〜第１６のインパネ溶着部６０〜６６に載せる。
【００５１】
図１４（ａ），（ｂ）は本発明に係るインストルメントパネル取付部材の振動溶着構造の振動溶着工程を示す第２工程図である。
（ａ）において、Ａ／Ｃダクト１５のダクト溶着部３０〜３８をインパネ１２のインパネ溶着部４０〜４８（図１３参照）に載せる際に、第１突片７０の先端７０ａに第１嵌合溝７２を嵌め込むことができる。これにより、Ａ／Ｃダクト１５を振動方向に対して所定の位置に位置決めすることができる。
加えて、左右の係止ブロック８０，８１及び係止爪８２に開口８３を嵌め込むことができる。
【００５２】
図８、図１０に示すように、左右の係止ブロック８０，８１の幅Ｗ２を開口８３の幅Ｗ３より僅かに小さく形成したので、左右の係止ブロック８０，８１を開口８３に嵌合させた際に、左右の係止ブロック８０，８１と開口８３との間の隙間を小さくできる。
【００５３】
よって、左右の係止ブロック８０，８１により開口８３が、振動方向（矢印方向）に対して直交する方向に移動しないように拘束することができる。
これにより、Ａ／Ｃダクト１５をセットする際に、作業者に負担をかけないでＡ／Ｃダクト１５を振動方向と振動方向に直交する方向に簡単に位置決めすることができる。
【００５４】
（ｂ）において、デフロスタダクト１６のダクト溶着部５０〜５６をインパネ１２のインパネ溶着部６０〜６６（図１３参照）に載せる際に、第２突片９０に第２嵌合溝９２を嵌め込むことができるので、デフロスタダクト１６を振動方向に対して所定の位置に位置決めすることができる。
【００５５】
加えて、図１１に示すように、第２突片９０の後縁９０ｃに第２嵌合溝９２の底面９２ａを当接することができる。よって、インパネ１２に対してデフロスタダクト１６が振動方向（矢印の方向）に直交する方向に移動しないように拘束することができる。
これにより、デフロスタダクト１６をセットする際に、作業者に負担をかけないでデフロスタダクト１６を振動方向と振動方向に直交する方向に簡単に位置決めすることができる。
【００５６】
このように、インパネ１２にＡ／Ｃダクト１５及びデフロスタダクト１６をセットした後、Ａ／Ｃダクト１５及びデフロスタダクト１６にそれぞれ所定押圧力をかけた状態でＡ／Ｃダクト１５及びデフロスタダクト１６を振動させる。
すなわち、先ず、Ａ／Ｃダクト１５を（ａ）に示すように矢印ｃの如く振動するとともに、デフロスタダクト１６を（ｂ）に示すように矢印ｃの如く振動する。
【００５７】
図１５（ａ）〜（ｄ）は本発明に係るインストルメントパネル取付部材の振動溶着構造の振動溶着工程を示す第３工程図である。
（ａ）において、第１突片７０を振動方向に弾性変形させることで、Ａ／Ｃダクト１５をインパネ１２に対して左方向に振動させることができる。
この際、図９に示すように右係止ブロック８１から開口８３の右端８６までの距離Ｌを比較的大きく確保したので、右係止ブロック８１を右端８６に干渉させないようにＡ／Ｃダクト１５を左方向に振動させることができる。
【００５８】
ここで、第５インパネ溶着部４４に凹部７６を形成し、凹部７６の底面７６ａに第１突片７０を形成することで、第１突片７０の高さＨ１（図４参照）を大きく確保することができる。
加えて、第１嵌合溝７２を断面略逆Ｖ字形の溝に形成して、図４に示すように第１嵌合溝７２の開口部７２ａの開口幅Ｗ１を第１突片７０の板厚Ｔ１より大きく形成した。よって、第１嵌合溝７２の開口部７２ａと第１突片７０との間の間隔を開けることができる。
【００５９】
このように、第１突片７０の高さＨ１を大きく確保するとともに、第１嵌合溝７２の開口部７２ａと第１突片７０との間の間隔を開けることができるので、第１突片７０の先端７０ａに振動方向の力がかかった際に、第１突片７０を振動方向に効率よく弾性変形させることができる。
【００６０】
（ｂ）において、第２突片９０を振動方向に弾性変形させることで、デフロスタダクト１６をインパネ１２に対して左方向に振動させることができる。
ここで、インパネ１２の前端１３の補強リブ９６に切欠９７を形成し、切欠９７の底面９７ａに第２突片９０を形成することで、第２突片９０の高さＨ２（図５参照）を大きく確保することができる。
【００６１】
このように、第２突片９０の高さＨ２を大きく確保することで、第２突片９０に振動方向の力がかかった際に、第２突片９０を振動方向に効率よく弾性変形させることができる。
Ａ／Ｃダクト１５及びデフロスタダクト１６を左方向に振動させた後、Ａ／Ｃダクト１５及びデフロスタダクト１６を矢印ｄ方向に振動する。
【００６２】
（ｃ）において、（ａ）と同様に第１突片７０を振動方向に弾性変形させることで、Ａ／Ｃダクト１５をインパネ１２に対して右方向に振動させることができる。
この際、図９に示すように左係止ブロック８０から開口８３の左端８５までの距離Ｌを比較的大きく確保したので、左係止ブロック８０を左端８５に干渉させないようにＡ／Ｃダクト１５を右方向に振動させることができる。
【００６３】
ここで、（ａ）で説明したように、第１突片７０の高さＨ１（図４参照）を大きく確保するとともに、第１嵌合溝７２の開口部７２ａと第１突片７０との間の間隔を開けることで、第１突片７０の先端７０ａに振動方向の力がかかった際に、第１突片７０を振動方向に効率よく弾性変形させることができる。
【００６４】
（ｄ）において、第２突片９０を振動方向に弾性変形させることで、デフロスタダクト１６をインパネ１２に対して右方向に振動させることができる。
ここで、（ｂ）で説明したように、第２突片９０の高さＨ２（図５参照）を大きく確保することで、第２突片９０に振動方向の力がかかった際に、第２突片９０を振動方向に効率よく弾性変形させることができる。
【００６５】
以下、上述した左右の方向（すなわち、矢印ｃ、ｄの方向の）の振動を繰り返すことにより、インパネ１２側のリブ４９・・・に、Ａ／Ｃダクト１５及びデフロスタダクト１６の各ダクト溶着部３０〜３８，５０〜５７を振動溶着することにより、インパネ１２にＡ／Ｃダクト１５及びデフロスタダクト１６を取り付けることができる。
【００６６】
なお、前記実施形態では、インパネ１２及び空調ダクト１４をオレフィン系の熱可塑性樹脂で形成した例について説明したが、その他の熱可塑性樹脂を使用してもよい。但し、オレフィン系の熱可塑性樹脂を使用することでリサイクルが容易になるという利点がある。
【００６７】
また、前記実施の形態では、取付部材として空調ダクト１４をインパネ１２に振動溶着で取り付ける例について説明したが、空調ダクト１４に限らないで、その他の取付部材をインパネ１２に振動溶着することも可能である。
【００６８】
さらに、前記実施形態では、インパネ１２側に第１、第２の突片７０，９０を設け、空調ダクト１４側に第１、第２の嵌合溝７２，９２を設けた例について説明したが、これに限らないで、例えば空調ダクト１４側に第１、第２の突片７０，９０を設け、インパネ１２側に第１、第２の嵌合溝７２，９２を設けることも可能である。
【００６９】
さらに、前記実施形態では、インパネ１２及びＡ／Ｃダクト１５において、振動方向の位置決め手段として突片７０及び嵌合溝７２を一個ずつ設け、インパネ１２及びデフロスタダクト１６において、振動方向の位置決め手段として突片９０及び嵌合溝９２を一個ずつ設けた例について説明したが、突片及び嵌合溝の個数は取付部材の形状に応じて任意に決めることができる。
【００７０】
【発明の効果】
本発明は上記構成により次の効果を発揮する。
請求項１は、インストルメントパネル及び取付部材の一方から他方に向けて突片を突出させ、この突片の先端に嵌合する嵌合部を他方に形成した。よって、インストルメントパネルに取付部材をセットする際に、突片の先端に嵌合部を嵌め込むことにより、取付部材をインストルメントパネルの所定の位置に位置決めすることができる。
一方、位置決め用の突片を弾性変形可能とした。よって、突片を弾性変形させることで取付部材又はインストルメントパネルを振動させることができるので、インストルメントパネルに取付部材を振動溶着することができる。
【００７１】
このように、弾性変形可能な突片を備え、この突片の先端に嵌合部を嵌め込むことで、取付部材をインストルメントパネルの所定の位置に位置決めすることができる。
これにより、作業者に負担をかけないで取付部材を所定の位置に簡単にセットすることができるので、生産性を上げることができる。
【００７２】
請求項２は、インストルメントパネル及び取付部材間に、振動方向に直交する方向に位置決めする位置決め手段を介在させることで、インストルメントパネルに取付部材をセットする際に、取付部材を振動方向に対して位置決めするとともに、振動方向に直交する方向にも位置決めすることができる。
これにより、取付部材をインストルメントパネルの所定の位置により一層確実に位置決めすることができる。
【図面の簡単な説明】
【図１】本発明に係るインストルメントパネル取付部材の振動溶着構造を斜め前方から見た斜視図
【図２】本発明に係るインストルメントパネル取付部材の振動溶着構造のインパネとＡ／Ｃダクトとの関係を示す斜め後方から見た分解斜視図
【図３】本発明に係るインストルメントパネル取付部材の振動溶着構造のインパネとデフロスタダクトとの関係を示す斜め後方から見た分解斜視図
【図４】本発明に係るインストルメントパネル取付部材の振動溶着構造の要部を示す分解斜視図
【図５】本発明に係るインストルメントパネル取付部材の振動溶着構造の要部を示す分解斜視図
【図６】本発明に係るインストルメントパネル取付部材の振動溶着構造を斜め後方から見た斜視図
【図７】図６の７−７線断面図
【図８】図６の８部拡大図
【図９】図８の９部拡大図
【図１０】図８の１０部拡大図
【図１１】図６の１１部拡大図
【図１２】図１１の１２−１２線断面図
【図１３】本発明に係るインストルメントパネル取付部材の振動溶着構造の振動溶着工程を示す第１工程図
【図１４】本発明に係るインストルメントパネル取付部材の振動溶着構造の振動溶着工程を示す第２工程図
【図１５】本発明に係るインストルメントパネル取付部材の振動溶着構造の振動溶着工程を示す第３工程図
【図１６】従来のインストルメントパネル取付部材の振動溶着構造を説明する図
【符号の説明】
１０…インストルメントパネル取付部材の振動溶着構造、１２…インパネ（インストルメントパネル）、１４…空調用ダクト（取付部材）、１５…Ａ／Ｃダクト、１６…デフロスタダクト、７０…第１突片（突片）、７０ａ…第１突片の先端（突片の先端）、７２…第１嵌合溝（嵌合部）、７４…第１位置決め手段（位置決め手段）、９０…第２突片（突片）、９０ａ…第２突片の先端（突片の先端）、９２…第２嵌合溝（嵌合部）、９４…第２位置決め手段（位置決め手段）。
【図１】
2004090697.tif 000003
【図２】
2004090697.tif 000004
【図３】
2004090697.tif 000005
【図４】
2004090697.tif 000006
【図５】
2004090697.tif 000007
【図６】
2004090697.tif 000008
【図７】
2004090697.tif 000009
【図８】
2004090697.tif 000010
【図９】
2004090697.tif 000011
【図１０】
2004090697.tif 000012
【図１１】
2004090697.tif 000013
【図１２】
2004090697.tif 000014
【図１３】
2004090697.tif 000015
【図１４】
2004090697.tif 000016
【図１５】
2004090697.tif 000017
【図１６】
2004090697.tif 000018